(57)【特許請求の範囲】
【請求項１】
電子メール機能を有する移動体通信端末において、
前記電子メール機能によって送受信した電子メールのヘッダ情報とメッセージとを対応づけて記録する送受信メール記憶手段と、
前記送受信メール記憶手段に記録された情報に基づいて、関連する複数の電子メールを送受信する条件が発生したか否かを判別する条件判別手段と、
前記条件判別手段によって、関連する複数の電子メールを送受信する条件が発生したと判別された場合、該条件に該当する送受信メールの情報を前記送受信メール記憶手段から取得し、設定情報として記録する設定情報記憶手段と、
前記設定情報記憶手段に記録された設定情報に基づいて、関連する複数の電子メールの送受信状況と、送受信した該関連する複数の電子メールの内容とを同一画面上に表示する表示画面に切り替える表示制御手段と、
を備え、
前記条件判別手段は、前記送受信メール記憶手段に、送信メールに対する複数の返信メールが受信メールとして記録されている場合、前記条件が発生したと判別し、
前記表示制御手段は、前記送信メールの内容と、該送信メールに対する複数の返信メールの内容とを同一画面上に表示する前記表示画面に切り替える、
ことを特徴とする移動体通信端末。
【請求項２】
電子メール機能を有する移動体通信端末において、
前記電子メール機能によって送受信した電子メールのヘッダ情報とメッセージとを対応づけて記録する送受信メール記憶手段と、
前記送受信メール記憶手段に記録された情報に基づいて、関連する複数の電子メールを送受信する条件が発生したか否かを判別する条件判別手段と、
前記条件判別手段によって、関連する複数の電子メールを送受信する条件が発生したと判別された場合、該条件に該当する送受信メールの情報を前記送受信メール記憶手段から取得し、設定情報として記録する設定情報記憶手段と、
前記設定情報記憶手段に記録された設定情報に基づいて、関連する複数の電子メールの送受信状況と、送受信した該関連する複数の電子メールの内容とを同一画面上に表示する表示画面に切り替える表示制御手段と、
を備え、
前記条件判別手段は、前記送受信メール記憶手段に、同一送信者からの関連する複数の受信メールが記録されている場合、前記条件が発生したと判別し、
前記表示制御手段は、当該複数の受信メールの内容を同一画面上に表示する前記表示画面に切り替える、
ことを特徴とする移動体通信端末。
【請求項３】
前記表示制御手段は、前記関連する複数の送受信メールについて、関連性を表す画像と、各送受信メールを表す画像によって前記送受信状況を表示する、
ことを特徴とする請求項１または２に記載の移動体通信端末。
【請求項４】
電子メール機能を有する移動体通信端末を制御するコンピュータに、
前記電子メール機能によって送受信した電子メールのヘッダ情報とメッセージとを対応づけて記憶装置に記録する機能と、
前記記憶装置に記録された情報に基づいて、関連する複数の電子メールを送受信する条件が発生したか否かを判別する機能と、
関連する複数の電子メールを送受信する条件が発生したと判別された場合、該条件に該当する送受信メールの情報を前記記憶装置から取得し、設定情報として前記記憶装置に記録する機能と、
前記記憶装置に記録された設定情報に基づいて、関連する複数の電子メールの送受信状況と、送受信した該関連する複数の電子メールの内容とを同一画面上に表示する表示画面に切り替える機能と、
を実現させるプログラムであって、
前記判別する機能は、前記記憶装置に、送信メールに対する複数の返信メールが受信メールとして記録されている場合、前記条件が発生したと判別し、
前記切り替える機能は、前記送信メールの内容と、該送信メールに対する複数の返信メールの内容とを同一画面上に表示する前記表示画面に切り替える、
ことを特徴とするプログラム。
【請求項５】
電子メール機能を有する移動体通信端末を制御するコンピュータに、
前記電子メール機能によって送受信した電子メールのヘッダ情報とメッセージとを対応づけて記憶装置に記録する機能と、
前記記憶装置に記録された情報に基づいて、関連する複数の電子メールを送受信する条件が発生したか否かを判別する機能と、
関連する複数の電子メールを送受信する条件が発生したと判別された場合、該条件に該当する送受信メールの情報を前記記憶装置から取得し、設定情報として前記記憶装置に記録する機能と、
前記記憶装置に記録された設定情報に基づいて、関連する複数の電子メールの送受信状況と、送受信した該関連する複数の電子メールの内容とを同一画面上に表示する表示画面に切り替える機能と、
を実現させるプログラムであって、
前記判別する機能は、前記記憶装置に、同一送信者からの関連する複数の受信メールが記録されている場合、前記条件が発生したと判別し、
前記切り替える機能は、当該複数の受信メールの内容を同一画面上に表示する前記表示画面に切り替える、
ことを特徴とするプログラム。
【発明の詳細な説明】
【技術分野】
【０００１】
本発明は、移動体通信端末およびプログラムに関し、特に、電子メールの送受信に好適な移動体通信端末およびプログラムに関する。
【背景技術】
【０００２】
携帯電話などの移動体通信端末においては、基本機能である音声通話機能の他にも種々の機能が搭載されている。特に、データ通信による電子メールの送受信機能は、音声通話と同様の基本機能として移動体通信端末には一般的に搭載されている（例えば、特許文献１）。
【０００３】
ここで、移動体通信端末は携帯性が求められるため、電子メール機能の利用時に用いられる表示画面は、例えば、パーソナルコンピュータなどと比べてサイズ上の制約がある。画面サイズの小さい移動体通信端末においては、パーソナルコンピュータなどのように複数のウィンドウを同時に表示させることは困難であり、このような制約に起因する不都合もある。
【０００４】
例えば、新規の電子メールを作成している途中で電子メールを受信した場合、パーソナルコンピュータなどではウィンドウの切り替えによって受信メールの確認と新規メールの作成継続を容易におこなうことができるが、移動体通信端末の場合、モードの切替によって画面全体を切り替えなければならない。この場合、通常、作成中のメールを保存した上で受信メールの閲覧に切り替えるか、作成していたメールを送信してから受信メールの閲覧に切り替えることが必要となり煩雑であった。
【０００５】
また、電子メールにおいては、同じ内容の電子メールを複数の宛先に一斉に送信できるので、このような一斉送信メールに対する返信を短時間のうちに次々と複数受信することがある。このような場合、受信したメールに対する返信を作成している間に複数のメール受信が発生することがあり、その度に上記のような切り替え手順をおこなっていては、効率的に送受信することができない。
【特許文献１】特開２００５−１５９８７４号公報
【発明の開示】
【発明が解決しようとする課題】
【０００６】
本発明は、上記実状に鑑みてなされたものであり、移動体通信端末において効率的な電子メールの送受信をおこなうことができる移動体通信端末およびプログラムを提供することを目的とする。
【課題を解決するための手段】
【０００７】
上記目的を達成するため、本発明の第１の観点に係る移動体通信端末は、
電子メール機能を有する移動体通信端末において、
前記電子メール機能によって送受信した電子メールのヘッダ情報とメッセージとを対応づけて記録する送受信メール記憶手段と、
前記送受信メール記憶手段に記録された情報に基づいて、関連する複数の電子メールを送受信する条件が発生したか否かを判別する条件判別手段と、
前記条件判別手段によって、関連する複数の電子メールを送受信する条件が発生したと判別された場合、該条件に該当する送受信メールの情報を前記送受信メール記憶手段から取得し、設定情報として記録する設定情報記憶手段と、
前記設定情報記憶手段に記録された設定情報に基づいて、関連する複数の電子メールの送受信状況と、送受信した該関連する複数の電子メールの内容とを同一画面上に表示する表示画面に切り替える表示制御手段と、
を備え、
前記条件判別手段は、前記送受信メール記憶手段に、送信メールに対する複数の返信メールが受信メールとして記録されている場合、前記条件が発生したと判別し、
前記表示制御手段は、前記送信メールの内容と、該送信メールに対する複数の返信メールの内容とを同一画面上に表示する前記表示画面に切り替える、
ことを特徴とする。
【０００８】
上記目的を達成するため、本発明の第２の観点に係る移動体通信端末は、
電子メール機能を有する移動体通信端末において、
前記電子メール機能によって送受信した電子メールのヘッダ情報とメッセージとを対応づけて記録する送受信メール記憶手段と、
前記送受信メール記憶手段に記録された情報に基づいて、関連する複数の電子メールを送受信する条件が発生したか否かを判別する条件判別手段と、
前記条件判別手段によって、関連する複数の電子メールを送受信する条件が発生したと判別された場合、該条件に該当する送受信メールの情報を前記送受信メール記憶手段から取得し、設定情報として記録する設定情報記憶手段と、
前記設定情報記憶手段に記録された設定情報に基づいて、関連する複数の電子メールの送受信状況と、送受信した該関連する複数の電子メールの内容とを同一画面上に表示する表示画面に切り替える表示制御手段と、
を備え、
前記条件判別手段は、前記送受信メール記憶手段に、同一送信者からの関連する複数の受信メールが記録されている場合、前記条件が発生したと判別し、
前記表示制御手段は、当該複数の受信メールの内容を同一画面上に表示する前記表示画面に切り替える、
ことを特徴とする。
【０００９】
上記移動体通信端末において、
前記表示制御手段は、前記関連する複数の送受信メールについて、関連性を表す画像と、各送受信メールを表す画像によって前記送受信状況を表示することが望ましい。
【００１０】
上記目的を達成するため、本発明の第３の観点にかかるプログラムは、
電子メール機能を有する移動体通信端末を制御するコンピュータに、
前記電子メール機能によって送受信した電子メールのヘッダ情報とメッセージとを対応づけて記憶装置に記録する機能と、
前記記憶装置に記録された情報に基づいて、関連する複数の電子メールを送受信する条件が発生したか否かを判別する機能と、
関連する複数の電子メールを送受信する条件が発生したと判別された場合、該条件に該当する送受信メールの情報を前記記憶装置から取得し、設定情報として前記記憶装置に記録する機能と、
前記記憶装置に記録された設定情報に基づいて、関連する複数の電子メールの送受信状況と、送受信した該関連する複数の電子メールの内容とを同一画面上に表示する表示画面に切り替える機能と、
を実現させるプログラムであって、
前記判別する機能は、前記記憶装置に、送信メールに対する複数の返信メールが受信メールとして記録されている場合、前記条件が発生したと判別し、
前記切り替える機能は、前記送信メールの内容と、該送信メールに対する複数の返信メールの内容とを同一画面上に表示する前記表示画面に切り替える、
ことを特徴とする。
【００１１】
上記目的を達成するため、本発明の第４の観点にかかるプログラムは、
電子メール機能を有する移動体通信端末を制御するコンピュータに、
前記電子メール機能によって送受信した電子メールのヘッダ情報とメッセージとを対応づけて記憶装置に記録する機能と、
前記記憶装置に記録された情報に基づいて、関連する複数の電子メールを送受信する条件が発生したか否かを判別する機能と、
関連する複数の電子メールを送受信する条件が発生したと判別された場合、該条件に該当する送受信メールの情報を前記記憶装置から取得し、設定情報として前記記憶装置に記録する機能と、
前記記憶装置に記録された設定情報に基づいて、関連する複数の電子メールの送受信状況と、送受信した該関連する複数の電子メールの内容とを同一画面上に表示する表示画面に切り替える機能と、
を実現させるプログラムであって、
前記判別する機能は、前記記憶装置に、同一送信者からの関連する複数の受信メールが記録されている場合、前記条件が発生したと判別し、
前記切り替える機能は、当該複数の受信メールの内容を同一画面上に表示する前記表示画面に切り替える、
ことを特徴とする。
【発明の効果】
【００１２】
本発明によれば、関連する複数の電子メールの送受信を効率的におこなうことができる。
【発明を実施するための最良の形態】
【００１３】
本発明にかかる移動体通信端末の実施例を以下に説明する。本実施形態にかかる移動体通信端末は、例えば、携帯電話やＰＨＳ（Personal Handyphone System）などといった、いわゆるセルラ通信によって音声通話をおこなうための移動体通信端末であり、本実施形態では、音声通話機能に加え電子メール送受信機能を備えているものとする。
【００１４】
本実施形態にかかる移動体通信端末１００の構成を、図面を参照して以下説明する。まず、図１を参照して、移動体通信端末１００の構成を説明する。図１は、本実施形態にかかる移動体通信端末１００の構成を示すブロック図である。図示するように、移動体通信端末１００は、制御部１１０、通信制御部１２０、操作部１３０、表示部１４０、音声処理部１５０、記憶部１６０、などから構成される。
【００１５】
制御部１１０は、例えば、ＣＰＵ（Central Processing Unit：中央演算処理装置）やワークエリアとなるＲＡＭ（Random Access Memory）などから構成され、所定の動作プログラムを実行することで移動体通信端末１００の各部を制御する。すなわち、移動体通信端末１００の各構成は制御部１１０によって制御されるとともに、各構成間の情報伝達などは制御部１１０を介しておこなわれる。
【００１６】
通信制御部１２０は、例えば、移動体通信用の無線通信デバイスなどから構成され、アンテナ１２１による電波送受信を制御することで、基地局との無線通信をおこない、移動体通信端末１００の音声通話機能や電子メール機能が実現される。
【００１７】
操作部１３０は、移動体通信端末１００の外面上に構成されたボタンやキーなどから構成され、移動体通信端末１００のユーザによって操作される。操作部１３０は、各ボタンやキーなどと接続された入力回路などを備え、ユーザの操作に応じた入力信号を生成して制御部１１０に入力する。
【００１８】
表示部１４０は、例えば、液晶表示装置などから構成された表示出力装置であり、制御部１１０の制御によって画像等を表示出力する。本実施形態では、電子メール機能にかかる各種画面が表示部１４０によって表示出力される。
【００１９】
音声処理部１５０は、例えば、音声入出力用のスピーカ１５１やマイクロフォン１５２、コーデック回路などから構成され、移動体通信端末１００の通話機能などにかかる音声の処理をおこなう。
【００２０】
記憶部１６０は、例えば、ＲＯＭ（Read Only Memory）やフラッシュメモリなどの記憶装置から構成され、制御部１１０が実行する動作プログラムを格納する他、本発明を実現するために必要な種々のデータを格納する。本実施形態では、図１に示すように、送信メール格納領域１６１、受信メール格納領域１６２、設定情報格納領域１６３、プログラム格納領域１６４、などといった記憶領域が記憶部１６０内に設けられ、各記憶領域に所定のデータが格納される。
【００２１】
送信メール格納領域１６１は、移動体通信端末１００の電子メール機能によって送信された電子メールを格納する領域であり、例えば、図２（ａ）に示すように、送信した電子メールを一意的に示すメッセージＩＤ（送信ＩＤ）をキーとして、送信先（アドレスやユーザ名）、件名、送信日時、メッセージ本文、などを対応づけて格納する。すなわち、例えば、ＲＦＣ２８２２などの規格に基づいたヘッダ情報とメッセージ本文とが格納される。
【００２２】
受信メール格納領域１６２は、移動体通信端末１００の電子メール機能によって受信された電子メールを格納する領域であり、例えば、図２（ｂ）に示すように、受信した電子メールを一意的に示すメッセージＩＤ（受信ＩＤ）をキーとして、送信元（アドレスやユーザ名）、件名、受信日時、返信元のメッセージＩＤ（返信元ＩＤ）、メッセージ本文、などを対応づけて格納する。すなわち、例えば、ＲＦＣ２８２２などの規格に基づいたヘッダ情報とメッセージ本文とが格納される。
【００２３】
設定情報格納領域１６３は、移動体通信端末１００の電子メール機能にかかる設定情報を格納する領域であり、例えば、いわゆるアドレス帳を構成する情報（送信相手の名称（ユーザ名）やメールアドレスなど）や、電子メール機能が有する処理モード毎の動作にかかる設定情報、などを格納する。
【００２４】
プログラム格納領域１６４は、制御部１１０が実行するプログラムを格納するための領域である。プログラム格納領域１６４には、移動体通信端末１００全体の動作を制御するための基本ソフトウェア（いわゆる、ＯＳ）や、移動体通信端末１００の種々の機能を実現するためのアプリケーションソフトウェアなどが格納される。
【００２５】
本実施形態では、制御部１１０がプログラム格納領域１６４に格納されているプログラムを実行することで、本実施形態にかかる電子メール送受信処理をおこなうための機能構成が実現される。制御部１１０によって実現される機能構成を以下説明する。ここでは、移動体通信端末１００によって電子メールの送受信をおこなう際に必要となる機能構成、つまり、いわゆるメールクライアントとして必要な機能が実現される。
【００２６】
この場合の機能構成を、図３を参照して説明する。図３は、制御部１１０によって実現される機能構成を示す機能ブロック図である。図示するように、制御部１１０は、アプリケーション処理部１１１、送信処理部１１２、受信処理部１１３、処理モード制御部１１４、出力制御部１１５、などとして機能する。
【００２７】
アプリケーション処理部１１１は、操作部１３０や表示部１４０などとの協働により、移動体通信端末１００の電子メール機能におけるインタフェース処理などをおこなう。すなわち、操作部１３０からの入力に基づいて、電子メール機能にかかる画面表示や文字入力などの動作をおこなう。
【００２８】
送信処理部１１２は、電子メール機能において、移動体通信端末１００から電子メールを送信する際の処理をおこなう。ここでは、アプリケーション処理部１１１との協働により、新規メールの作成画面の表示、操作部１３０からの入力に応じた件名やメッセージ本文の入力や宛先の設定などといった、メール送信時のインタフェースにかかる処理をおこなう他、通信制御部１２０との協働により、作成された電子メールの送信にかかる処理をおこなう。
【００２９】
この場合、送信処理部１１２は、例えば、ＴＣＰ／ＩＰ（Transmission Control Protocol/Internet Protocol）、ＳＭＴＰ（Simple Mail Transfer Protocol）、ＰＯＰ（Post Office Protocol）、ＩＭＡＰ（Internet Message Access Protocol）、などといった、電子メールの送受信にかかるプロトコルに基づく動作によって電子メールの送信をおこなう。また、送信処理部１１２は、このような動作によって送信した電子メールを、記憶部１６０の送信メール格納領域１６１に格納する。
【００３０】
受信処理部１１３は、電子メール機能において、移動体通信端末１００が電子メールを受信する際の処理をおこなう。ここでは、通信制御部１２０との協働により、通信制御部１２０が受信した電子メールを記憶部１６０の受信メール格納領域１６２に格納する。この場合、受信処理部１１３は、例えば、ＴＣＰ／ＩＰ、ＳＭＴＰ、ＰＯＰ、ＩＭＡＰ、などといった、電子メールの送受信にかかるプロトコルに基づく動作によって電子メールの受信をおこなう。
【００３１】
処理モード制御部１１４は、電子メール機能にかかる処理モードの切替などの処理をおこなう。本実施形態では、同時に複数人と電子メールをやりとりする場合の処理モード（以下、「関連メールモード」とする）にかかる処理をおこなう。この関連メールモードは、送信処理部１１２によって送信した電子メールが、複数の送信先が設定された一斉送信メールである場合において、その一斉送信メールに対する返信メールを受信した場合に実行される。
【００３２】
よって、処理モード制御部１１４は、記憶部１６０の送信メール格納領域１６１に格納された電子メールの宛先に基づいて、一斉送信メールが送信されたか否かを判別するとともに、一斉送信メールのメッセージＩＤ（送信ＩＤ）と、記憶部１６０の受信メール格納領域１６２に格納された電子メールの返信元メッセージＩＤとに基づいて、一斉送信メールに対する返信が受信されたか判別し、このような場合に、関連メールモードを実行する。関連メールモードにかかる動作の詳細は後述する。
【００３３】
出力制御部１１５は、処理モード制御部１１４によって関連メールモードが実行された場合、表示部１４０との協働により、電子メール機能にかかる通常の画面表示とは異なる画面表示をおこなう。関連メールモードにかかる表示動作の詳細は後述する。
【００３４】
本実施形態では、制御部１１０がプログラムを実行することで上述した機能構成が論理的に実現されるものとするが、これらの機能構成を、例えば、ＡＳＩＣ（Application Specific Integrated Circuit：特定用途向け集積回路）などのハードウェアによって物理的に構成してもよい。
【００３５】
以上の構成は、本発明を実現するために必要な構成であり、移動体通信端末としての基本機能や付加機能のために必要なその他の構成については、必要に応じて備えられているものとする。
【００３６】
以上のような構成を有する移動体通信端末１００で電子メールの送受信をおこなう際に実行される動作を以下説明する。まず、電子メールを新規に作成して送信する際に実行される「メール送信処理」を、図４に示すフローチャートを参照して説明する。このメール送信処理は、移動体通信端末１００のユーザが操作部１３０を操作し、電子メールの新規作成が指示されたことを契機に開始される。
【００３７】
処理が開始されると、アプリケーション処理部１１１および送信処理部１１２により、新規に電子メールを作成するための画面（新規メール画面）を表示部１４０に表示する（ステップＳ０１１）。
【００３８】
移動体通信端末１００のユーザは、操作部１３０を操作することで、件名やメッセージ本文を入力するとともに、設定情報格納領域１６３に予め登録されているアドレス帳情報などを用いて送信先を設定する。ここで、作成した電子メールを複数の相手に送信する一斉送信メールとする場合には、複数の宛先を送信先として設定する。
【００３９】
このような新規メールの画面表示例を図５に示す。図示するように、表示部１４０には、件名やメッセージ本文が入力され、送信先が設定された新規メールと、この新規メールの送信を指示するためのソフトウェアボタンである「送信」ボタンなどが表示される。
【００４０】
移動体通信端末１００のユーザが操作部１３０を操作することで、「送信」ボタンの選択を指示する入力信号が制御部１１０に入力されると（ステップＳ０１２：Ｙｅｓ）、送信処理部１１２は、通信制御部１２０を制御し、作成された電子メールを送信する（ステップＳ０１３）。
【００４１】
送信処理部１１２は、電子メールの送信を完了すると、移動体通信端末１００のＯＳの動作によるカレンダ機能などから送信日時を取得するとともに、記憶部１６０の送信メール格納領域１６１に新規レコードを作成し、ステップＳ０１３で送信した電子メールのヘッダ情報やメッセージ本文を格納する（ステップＳ０１４）。すなわち、送信した電子メールについてのメッセージＩＤ（送信ＩＤ）、送信日時、送信先アドレス、件名、などを示すヘッダ情報と、メッセージ本文とを対応づけて格納する。ここで、送信メールについてのメッセージＩＤ（送信ＩＤ）は、例えば、移動体通信端末１００の固有情報などを含んだ一意のＩＤであるものとし、送信処理部１１２が送信動作を実行した際に割り当てられるものとする。
【００４２】
送信処理部１１２は、送信メールを送信メール格納領域１６１に格納すると、その旨を処理モード制御部１１４に通知する。処理モード制御部１１４は、送信処理部１１２からの通知に応じて送信メール格納領域１６１にアクセスし、最新のレコードを参照する。ここで、処理モード制御部１１４は、参照したレコードに記録されている送信先が複数であるか否かを判別することで、当該送信メールが一斉送信メールであるか否かを判別する（ステップＳ０１５）。
【００４３】
上述したように、本実施形態においては、一斉送信メールに対する返信メールを受信したことを条件に関連メールモードを実行する。よって、直近に送信された電子メールが一斉送信メールでない場合（ステップＳ０１５：Ｎｏ）、関連メールモードの実行条件とはならないので、そのままメール送信処理を終了する。
【００４４】
一方、直近に送信された電子メールが一斉送信メールである場合（ステップＳ０１５：Ｙｅｓ）、関連メールモードの実行条件となるので、処理モード制御部１１４は、関連メールモードを起動して（ステップＳ０１６）、メール送信処理を終了する。
【００４５】
ここで、処理モード制御部１１４によって起動された関連メールモードによる動作を以下に説明する。関連メールモードの起動によって実行される「関連メール表示処理」を、図６に示すフローチャートを参照して説明する。
【００４６】
処理が開始されると、処理モード制御部１１４は、送信メール格納領域１６１に記録された直近の送信メールについてのメッセージＩＤと送信日時を取得し、関連メールモードにかかる設定情報として設定情報格納領域１６３に格納する。すなわち、一斉送信メールを特定する情報を設定情報として設定情報格納領域１６３に格納する（ステップＳ１０１）。
【００４７】
この場合において、移動体通信端末１００宛の電子メールが送信された場合、通信制御部１２０が受信して制御部１１０に入力する。このようにして、電子メールを受信すると（ステップＳ１０２：Ｙｅｓ）、受信処理部１１３は、記憶部１６０の受信メール格納領域１６２に新規レコードを作成し、受信した電子メールを格納する（ステップＳ１０３）。つまり、受信した電子メールのメッセージＩＤ（受信ＩＤ）や送信元（アドレスやユーザ名）、返信元を示すメッセージＩＤ、受信日時、件名、などを示すヘッダ情報と、メッセージ本文などとを対応づけて格納する。
【００４８】
ここで、ヘッダ情報に含まれるメッセージＩＤは、当該電子メールを送信したメールクライアントによって一意に付されたＩＤであるものとする。また、返信元メッセージＩＤは、その電子メールが他の電子メールに対する返信メールである場合、その元となった電子メールに付されていたメッセージＩＤを示すものである。例えば、上記メール送信処理において移動体通信端末１００から送信した電子メールに対する返信である場合、送信処理部１１２によって割り当てられたメッセージＩＤ（送信ＩＤ）が返信元メッセージＩＤとして示されることになる。この場合、例えば、ＲＦＣ２８２２に規定されている「In-Reply-To」フィールドなどによって返信元メッセージＩＤが示される。
【００４９】
受信処理部１１３は、受信メール格納領域１６２に受信メールを格納すると、その旨を処理モード制御部１１４に通知する。処理モード制御部１１４は、受信処理部１１３からの通知に応じて受信メール格納領域１６２にアクセスし、最新のレコードを参照し、返信元メッセージＩＤが記録されているか否かを判別することで、受信メールが他の電子メールに対する返信メールであるか否かを判別する（ステップＳ１０４）。
【００５０】
受信した電子メールが返信メールである場合（ステップＳ１０４：Ｙｅｓ）、処理モード制御部１１４は、設定情報格納領域１６３に格納された一斉送信メールのメッセージＩＤと、受信メールの返信元メッセージＩＤとが一致するか否かを判別することで、上述したメール送信処理において送信した一斉送信メールに対する返信（以下、「特定返信メール」とする）を受信したか否かを判別する（ステップＳ１０５）。
【００５１】
ここで、受信メールが、特定返信メールである場合（ステップＳ１０５：Ｙｅｓ）、処理モード制御部１１４は、ステップＳ１０１で設定情報格納領域１６３に格納した設定情報に、当該受信メールのメッセージＩＤを追記する。すなわち、送信した一斉送信メールを特定する情報と、その一斉送信メールに対する返信メールを特定する情報とを対応づけた送信関連テーブルを設定情報格納領域１６３に格納する（ステップＳ１０６）。この場合に設定情報格納領域１６３に記録される送信関連テーブルの例を図１１（ａ）に示す。
【００５２】
図示するように、送信関連テーブルには、送信した一斉送信メールのメッセージＩＤ（送信ＩＤ）を主キーとしたレコードが作成され、各レコードには、当該一斉送信メールの送信日時、などが記録されるとともに、当該一斉送信メールに関連する電子メールを示す情報として、特定返信メールを示す受信ＩＤ（関連メッセージＩＤ）が記録される。図１１（ａ）の例においては、送信ＩＤ「Ｓ１１１」が、一斉送信メールの送信メッセージＩＤを示し、関連メッセージＩＤ「Ｒ１１１」が、当該一斉送信メールに対する１通目の返信メールの受信ＩＤを示している。
【００５３】
このようにして設定情報を設定情報格納領域１６３に記録すると、処理モード制御部１１４は、受信した特定返信メールが、一斉送信メールに対する１通目の返信メールであるか否かを判別する（ステップＳ１０７）。ステップＳ１０６で記録した返信メールが、対応する一斉送信メールに対する１通目の返信メールである場合（ステップＳ１０７：Ｙｅｓ）、処理モード制御部１１４は、記録した送信ＩＤと関連メッセージＩＤを出力制御部１１５に通知する。
【００５４】
出力制御部１１５は、送信メール格納領域１６１と受信メール格納領域１６２の双方にアクセスし、処理モード制御部１１４から通知された送信メッセージＩＤに対応する件名、送信日時、メッセージ本文、などを送信メール格納領域１６１から取得するとともに、処理モード制御部１１４から通知された関連メッセージＩＤに対応する受信日時、メッセージ本文、などを受信メール格納領域１６２から取得する。
【００５５】
出力制御部１１５は、取得した各情報を用いて、受信した返信メールの内容を表示部１４０に表示する。この場合、出力制御部１１５は、通常の受信メール表
示画面によって、受信した返信メールの内容を表示部１４０に表示する（ステップＳ１０８）。
【００５６】
この場合において、一斉送信メールは複数の相手に送信しているので、現在表示している返信メールの送信者以外の者からも、特定返信メールが送信されることがある。この場合、上述したステップＳ１０２〜ステップＳ１０６と同様の処理により、新たに受信した特定返信メールを示す受信ＩＤが、設定情報格納領域１６３の送信関連テーブルに追加される。この場合の送信関連テーブルの例を図１１（ｂ）に示す。
【００５７】
図示するように、対象となる一斉送信メールを示す送信メッセージＩＤ（図中における「Ｓ１１１」）のレコードに、既に関連メッセージＩＤとして記録されている受信ＩＤ（図中における「Ｒ１１１」）と、今回受信した返信メールの受信ＩＤ（ここでは「Ｒ２２２」とする）が記録される。
【００５８】
このように、１つの送信ＩＤに対し、２以上の受信ＩＤを関連メッセージＩＤとして記録した場合、すなわち、一斉送信メールに対する２通目以降の返信メールを受信すると（ステップＳ１０７：Ｎｏ）、処理モード制御部１１４は、関連メールモードでの画面表示に切り替えるため、新たに記録した受信ＩＤとともに、２以上の返信メールを受信した旨を出力制御部１１５に通知する。
【００５９】
この場合、出力制御部１１５は、ステップＳ１０８で表示した通常の受信メール閲覧画面の表示態様を変更し（ステップＳ１０９）、関連する複数の電子メールに対する操作を次々におこなうことができる「関連メール表示画面（１）」を生成して表示部１４０に表示する。この関連メール表示画面（１）の表示例を図７（ａ）に示す。
【００６０】
図示するように、関連メール表示画面（１）は、受信状況を表示する受信状況表示領域、送信した一斉送信メールのメッセージ本文や送信日時などを表示する送信メッセージ表示領域、受信した返信メールの送信者や受信日時、メッセージ本文などを表示する受信メッセージ表示領域、などから構成されている。すなわち、出力制御部１１５は、送信した一斉送信メールに関連する複数のメールを同一画面上で関連づけて表示する。
【００６１】
ここで、受信状況表示領域には、対象となっている特定返信メールの受信状況が表示される。例えば、図７（ａ）に示すように、ライン状の画像によって一斉送信メールとの関連性を表現し、このライン上のオブジェクト画像（図の例ではボールを模したオブジェクト画像）によって、受信した特定返信メールの数や表示状態を表現する。ここでは、特定返信メールを２通受信した状態なので、図７（ａ）に示す関連メール表示画面（１）の受信状況表示領域には、１本のライン画像上に２つのオブジェクト画像が表示されている。また、受信メールを示すオブジェクト画像の近傍には、送信者名を表すオブジェクト画像を表示し、ライン画像の近傍には、送信した一斉送信メールの件名を示すオブジェクト画像を表示している。
【００６２】
この場合において、オブジェクト画像の表示位置は、特定返信メールの受信タイミングに基づいて決定されるものとする。ここでは、一例として、受信した時系列順に、左側からオブジェクト画像を表示することとする。この場合においては、最も左側に表示されたオブジェクト画像が１通目の特定返信メールを示し、左から２番目のオブジェクト画像が２通目の特定返信メールを示すことになる。
【００６３】
また、オブジェクト画像の表示態様によって、特定返信メールの表示状態を示すものとする。この場合、メッセージ本文を表示している特定返信メールを示すオブジェクト画像と、その他の特定返信メールを示すオブジェクト画像との表示態様を異ならせることで、特定返信メールの表示状態を表すものとする。例えば、図７（ａ）に示すように、メッセージ本文を表示している特定返信メールを示すオブジェクト画像の大きさを、他の特定返信メールを示すオブジェクト画像より大きい画像とすることで、何通目に受信した特定返信メールの本文を現在表示しているかを示す。
【００６４】
このような表示制御をおこなう出力制御部１１５は、受信状況表示領域に表示させる各画像データと、設定情報格納領域１６３に記録したメッセージＩＤとを対応づけている。本実施形態の場合、ライン状の画像と送信メッセージＩＤとを対応づけるとともに、返信メールを示す各オブジェクト画像と受信メッセージＩＤとをそれぞれ対応づけている。
【００６５】
ここで、出力制御部１１５は、受信状況表示領域に表示されたオブジェクト画像を、操作部１３０の操作に応じて選択可能に表示する。この場合、アプリケーション処理部１１１を介して出力制御部１１５に入力される操作部１３０からの入力信号に応じて、出力制御部１１５は、いずれのオブジェクト画像が選択されたかを認識する。このようにして受信状況表示領域のオブジェクト画像が選択されると（ステップＳ１１０：Ｙｅｓ）、出力制御部１１５は、選択されたオブジェクト画像に応じて、受信メール閲覧画面の表示態様を切り替える（ステップＳ１１１）。
【００６６】
この場合、出力制御部１１５は、受信メール格納領域１６２にアクセスし、選択されたオブジェクト画像に対応する受信メールのメッセージ本文や受信日時情報を取得し、受信メール閲覧画面の受信メッセージ表示領域の表示を、現在表示しているものから取得した内容に切り替える。このようにして、表示している受信メールの内容を切り替えたので、出力制御部１１５は、受信状況表示領域のオブジェクト画像の表示態様も変更する。
【００６７】
この場合の画面表示例を図７（ｂ）に示す。図７（ｂ）に例示した関連メール表示画面（２）は、図７（ａ）に示した関連メール表示画面（１）の受信状況表示領域に表示されている左から２番目のオブジェクト画像を選択した場合に表示される画面である。図示するように、関連メール表示画面（２）の受信メッセージ表示領域には、２番目に受信した返信メールの本文や受信日時が表示される。また、受信状況表示領域においては、１番目に受信した特定返信メールを示す左端のオブジェクト画像が小さく表示され、現在本文を表示している２番目に受信した特定返信メールを示す左から２番目のオブジェクト画像が大きく表示されている。また、この２つのオブジェクト画像のいずれもが、同じライン画像上に表示されることで、同一の送信メールに対する返信メールであることを示している。
【００６８】
このようにして、特定返信メールを受信した場合、図７に示すような関連メール表示画面を表示することで、送信したメールの内容、受信した返信メールの内容、同じ送信メールに対する返信メールの受信状況、などを同一画面上で視認することができる。
【００６９】
一方、この過程において、特定返信メール以外の電子メール（以下、「一般受信メール」とする）を新規に受信する場合もある（ステップＳ１０４：Ｎｏ、ステップＳ１０５：Ｎｏ）。この場合、処理モード制御部１１４は、受信した電子メールのメッセージＩＤとともに、当該電子メールが特定返信メールではない旨を出力制御部１１５に通知する。
【００７０】
出力制御部１１５は、すでに受信メール閲覧画面を表示部１４０に表示している場合（ステップＳ１１２：Ｙｅｓ）、表示している受信メール閲覧画面の表示態様を変更し（ステップＳ１０９）一般受信メールが受信されたことを表示する。この場合の表示例を図８（ａ）に示す。図８（ａ）に例示する関連メール表示画面（３）は、図７（ａ）に示した関連メール表示画面（１）を表示している状態で一般受信メールを新規に受信した場合の画面である。
【００７１】
図示するように、関連メール表示画面（３）では、関連メール表示画面（１）（図７（ａ））の受信状況表示領域に、新規に受信した一般受信メールを表すオブジェクト画像（図の例では星を模した画像）が表示される。
【００７２】
この場合も、出力制御部１１５は、表示した各オブジェクト画像と、対象とする一般受信メールとを対応づけており、ユーザによる操作部１３０の操作によってオブジェクト画像が選択されると（ステップＳ１１０：Ｙｅｓ）、出力制御部１１５は、選択されたオブジェクト画像に応じて、そのときに表示している受信メール閲覧画面の表示態様を変更する（ステップＳ１１１）。
【００７３】
例えば、移動体通信端末１００のユーザによる操作部１３０の操作によって、図８（ａ）に示した一般受信メールを示すオブジェクト画像が選択された場合、出力制御部１１５は、図８（ｂ）に示すような関連メール表示画面（４）を表示部１４０に表示する。
【００７４】
図示するように、関連メール表示画面（４）の受信状況表示領域には、一斉送信メールを表すライン画像とは異なるライン画像（例えば、形状や色彩を異ならせたもの）を表示するとともに、返信メールを表すオブジェクト画像とは異なる態様のオブジェクト画像（例えば、形状や色彩を異ならせたもの）をそのライン画像上に表示する。
【００７５】
この場合、選択されたオブジェクト画像に対応づけられている受信メールのメッセージ本文が表示部１４０に表示される。なお、一般受信メールは、送信したメールへの返信ではないので、関連メール表示画面（４）には、送信メッセージ表示領域はない。
【００７６】
また、一般受信メールについて、同一の送信者によって追伸の電子メールが送信された場合、図８（ｂ）に示すように、例えば、先に受信した一般受信メールを表すオブジェクト画像に付随するオブジェクト画像を表示する。この場合、例えば、追伸メールを示すオブジェクト画像は、先に受信したメールを示すオブジェクト画像よりもサイズの小さい画像で表示する。そして、このような追伸メールを表すオブジェクト画像がユーザによって選択されると、出力制御部１１５は、図８（ｃ）に示すような関連メール表示画面（５）を表示部１４０に表示する。
【００７７】
この場合、処理モード制御部１１４は、受信した電子メールの送信者が同一であり、かつ、件名が同一である場合などに、追伸メールを受信したものと判別して、その旨を出力制御部１１５に通知する。この場合、出力制御部１１５は、図８（ｃ）に示すように、先に受信したメールのメッセージと、追伸メールのメッセージを同一画面上に配置した関連メール表示画面（５）を表示部１４０に表示する。なお、追伸メールは送信者が同一であるので、追伸メールを表すオブジェクト画像が選択された場合、例えば、図８（ｃ）に示すように、先に受信したメールと追伸メールとを合わせた１つのオブジェクト画像で表されるような画像処理をおこなう。
【００７８】
また、この場合、例えば、図１１（ｃ）に示すように、受信メールの受信ＩＤをキーとした受信関連テーブルが処理モード制御部１１４によって設定情報格納領域１６３に作成され、追伸メールを示す受信ＩＤがその受信メールについての関連メッセージＩＤとして記録されるものとする。
【００７９】
以上のような処理を、受信メール閲覧の終了要件が発生するまで繰り返しおこなうことで（ステップＳ１１３：Ｎｏ）、一斉送信メールに対する返信や受信したメールの追伸などといった、関連する電子メールを次々に受信した場合、受信状況表示領域のオブジェクト画像が順次追加され、受信した複数の電子メールの関連性を容易に視認することができる。そして、それらのオブジェクト画像を選択する動作をおこなうだけで、次々とその内容を表示して確認することができる。
【００８０】
ここで、受信メール閲覧の終了要件が発生した場合（ステップＳ１１３：Ｙｅｓ）、関連メール表示処理を終了する。
【００８１】
上記関連メール表示処理では、一斉送信メールに対する複数の返信メールを受信したことを契機に、関連メール表示画面を表示するものとしたが、上述したような追伸メールを受信したことを契機に関連メール表示画面を表示するようにしてもよい。例えば、関連メール表示処理のステップＳ１１２において、関連メール表示画面を表示中ではないと判別した場合、そのことを受信メールの閲覧終了条件として関連メール表示処理を終了させ（ステップＳ１１３：Ｙｅｓ）、一般受信メールでの追伸メールについての関連メール表示画面を表示させる処理をおこなってもよい。
【００８２】
また、受信メールに対する返信作成指示を、関連メール表示処理のステップＳ１１３で判別される受信メール閲覧の終了要件とすることもできる。この条件によって関連メール表示処理を終了させた場合に実行する「関連メール返信処理」を、図９に示すフローチャートを参照して説明する。
【００８３】
ここで、図７〜図８に示したように、上記関連メール表示処理で表示部１４０に表示される関連メール表示画面には、表示している受信メールに対する返信の作成を指示するための「返信」ボタンが表示されている。この「返信」ボタンは、操作部１３０による操作に応じて選択可能に表示されており、移動体通信端末１００のユーザが、そのとき表示している受信メールに対する返信を作成したい場合に、操作部１３０を操作して「返信」ボタンを選択する。この動作による入力信号に基づいて、関連メール返信処理が開始される。ここでは、図７（ａ）に示した関連メール表示画面（１）で「返信」ボタンが操作された場合を例に説明する。
【００８４】
処理が開始されると、処理モード制御部１１４は、設定情報格納領域１６３の送信関連テーブルにアクセスし、現在表示している受信メール（この場合、図７（ａ）に示す関連メール表示画面（１）で表示している特定返信メール）を示す受信ＩＤが、関連メッセージＩＤとして記録されているレコードを特定する。すなわち、返信対象に関する設定情報を特定する（ステップＳ２０１）。ここで、図７（ａ）に示す関連メール表示画面（１）で表示している特定返信メールを示す受信ＩＤは「Ｒ１１１」であるものとする。
【００８５】
対象となるメッセージについての設定情報を特定すると、処理モード制御部１１４は、図１１（ｄ）に示すように、設定情報格納領域１６３の送信関連テーブルに新規レコードを作成し、移動体通信端末１００から返信するメール（以下、「新規返信メール」とする）についての送信ＩＤを割り当てて記録するとともに、ステップＳ２０１で特定したレコードのキーとなっている送信ＩＤと、当該レコードの関連メッセージＩＤに記録されているメッセージＩＤとを、新たに作成したレコードの関連メッセージＩＤ欄に記録する。これにより、新規返信メールについての設定情報を設定情報格納領域１６３に記録する（ステップＳ２０２）。
【００８６】
新規返信メールについての設定情報を記録すると、処理モード制御部１１４は、記録した送信ＩＤを出力制御部１１５に通知する。出力制御部１１５は、処理モード制御部１１４からの通知に応じて、設定情報格納領域１６３の送信関連テーブルにアクセスし、通知された送信ＩＤをキーとするレコードから、関連メッセージＩＤを取得し、送信メール格納領域１６１および受信メール格納領域１６２のそれぞれから、取得した関連メッセージＩＤに対応するメッセージＩＤの本文メッセージなどを取得し、図１０（ａ）に示すような、新規返信メールを作成するための新規返信メール画面（１）を作成して表示部１４０に表示する（ステップＳ２０３）。
【００８７】
図示するように、新規返信メール画面（１）においては、関連メール表示画面と同様の受信状況表示領域が表示されるとともに、一連の関連メッセージのうち、直前のメッセージを表示する関連メッセージ表示領域と、新規返信メールの本文を入力するための入力領域が表示される。移動体通信端末１００のユーザは、操作部１３０を操作して、新規返信メールに入力するメッセージ本文を入力領域に入力する。また、この新規返信メール画面（１）には、図１０（ａ）に示すように、新規返信メールの作成にかかる各種ソフトウェアボタンが画面下部に表示されている。本文メッセージの入力が完了すると、移動体通信端末１００のユーザは操作部１３０を操作し、ソフトウェアボタンのうちの「確定」ボタンを選択する。
【００８８】
この動作に応じた入力信号が操作部１３０から制御部１１０に入力されると、出力制御部１１５は入力完了と判別し（ステップＳ２０４：Ｙｅｓ）、図１０（ｂ）に示すような、作成した新規返信メールをユーザに確認させるための新規返信メール画面（２）を作成して表示部１４０に表示する。図示するように、新規返信メール画面（２）には、返信対象とした受信メールに関連した一連のメッセージが、例えば、時系列順に同一画面上に表示される（ステップＳ２０５）。すなわち、受信状況を示す受信状況表示領域、関連する送受信メールの内容を示す関連メッセージ表示領域、作成した新規返信メールの内容を示す作成メッセージ表示領域、などで新規返信メール画面（２）が構成される。
【００８９】
また、この新規返信メール画面（２）のソフトウェアボタンには、作成した新規返信メールの送信を指示するための「送信」ボタンが配置されており、移動体通信端末１００のユーザが操作部１３０を操作して「送信」ボタンを選択すると、これに応じた入力信号が制御部１１０に入力される。
【００９０】
操作部１３０からの入力信号に基づいて「送信」が指示されたと判別すると（ステップＳ２０６：Ｙｅｓ）、出力制御部１１５は、入力された新規返信メールの本文メッセージや送信先アドレスなどを送信処理部１１２に通知する。送信処理部１１２は、通信制御部１２０を制御して、新規返信メールを送信する（ステップＳ２０７）。
【００９１】
送信処理部１１２は、当該新規返信メールを送信すると、通常のメール送信時と同様、送信した新規返信メールについての情報を送信メール格納領域１６１に格納するとともに、送信開始〜送信中〜送信完了を示すステータス情報を随時出力制御部１１５に通知する。出力制御部１１５は、送信処理部１１２からのステータス情報、つまり送信状況に応じて、新規返信メール画面の表示態様を変更する（ステップＳ２０８）。
【００９２】
ここで、本例は、図７（ａ）に示す関連メール表示画面（１）の状態、すなわち、一斉送信メールに対する１通目の返信メールを表示している状態から新規返信メールの送信を指示しているので、このときの新規返信メール画面の受信状況表示領域には、図１０（ａ）および図１０（ｂ）に示すように、一斉送信メールを表すライン画像上に、１通目の特定返信メールを表す大きいオブジェクト画像と２通目の特定返信メールを表す小さいオブジェクト画像が表示されている。
【００９３】
この場合において、作成された新規返信メールの送信状況が送信開始〜送信中のとき、出力制御部１１５は、例えば、新規返信メールの返信元となっている１通目の特定返信メールを表すオブジェクト画像が、一斉送信メールを表しているライン画像から離れていくアニメーション画像となるよう、受信状況表示領域の表示態様を変更する。すなわち、特定返信メールに対する返信をおこなうと、当該特定返信メールを示していたオブジェクト画像を受信状況表示領域から消去する。これにより、移動体通信端末１００から返信メールが送信されたことを表すものとする。
【００９４】
そして、送信処理部１１２からのステータス情報に基づいて、新規返信メールの送信が完了したと判別すると（ステップＳ２０９：Ｙｅｓ）、関連メール返信処理を終了する。
【００９５】
このようにして関連メール返信処理を終了した場合、上述した関連メール表示処理と同様の処理を実行することで、例えば、次の特定返信メールについての関連メール表示画面を表示し、そこで「返信」ボタンが選択されれば、上記関連メール返信処理を実行する。このような処理により、一斉送信メールに対する複数の返信を効率よく閲覧できるとともに、さらなる返信を次々とおこなっていくことができる。
【００９６】
以上のような処理をおこなう関連メール処理モードは、例えば、所定の時間経過などに基づいて終了する。例えば、一斉送信メールの送信を契機に関連メール処理モードを起動した場合では、一斉送信メールの送信時刻から一定時間経過したことを条件に関連メール処理モードを終了させる。関連メール処理モードを終了させる場合、条件の発生とともに自動的に終了させることができる他、ユーザに終了してもよいか問い合わせる画面表示をおこない、ユーザの選択に応じて、関連メール処理モードを終了あるいは継続させるように動作してもよい。
【００９７】
上記実施形態によれば、関連するメールを次々と複数受信する条件が発生した場合に、送受信した複数のメールを関連づけて表示する画面に自動的に切り替わるので、煩雑な操作をおこなうことなく、複数のメール送受信を効率的におこなうことができる。
【００９８】
この場合において、送受信した複数のメールの関連性を視覚的に表示するので、複数の関連性が同時に発生した場合でも、関連性を容易に識別しながら送受信をおこなうことができる。
【００９９】
上記実施形態は一例であり、本発明の適用範囲はこれに限られない。すなわち、種々の応用が可能であり、あらゆる実施の形態が本発明の範囲に含まれる。
【０１００】
例えば、上記実施形態では、関連する電子メールとして、一斉送信メールに対する返信や追伸メールを例示したが、何らかの関連性のある電子メール群であれば、これらに限られず、任意の電子メールについて本発明を適用することができる。
【０１０１】
また、上記実施形態では、本発明にかかる移動体通信端末として携帯電話機を例示したが、電子メールの送受信をおこなえる携帯型端末装置（例えば、ＰＤＡ（Personal Digital Assistants：携帯情報端末）など）であれば、本発明にかかる移動体通信端末として本発明を適用することができる。
【０１０２】
なお、本発明を適用できる移動体通信端末は、上記実施形態に示したような、本発明にかかる機能や構成を予め備えた装置として提供できることはもとより、上述したプログラムと同様のプログラムを適用することで、既存の移動体通信端末を本発明にかかる移動体通信端末として機能させることもできる。
【０１０３】
この場合、上記実施形態の移動体通信端末１００で実行されたようなプログラムを、電子メール送受信機能を有する既存の移動体通信端末に適用（インストール）し、当該移動体通信端末を制御するコンピュータ（ＣＰＵなど）がこれを実行することで、上述した移動体通信端末１００と同様の機能を有する移動体通信端末を実現することができる。
【０１０４】
このようなプログラムの配布方法は任意であり、ＣＤ−ＲＯＭやメモリカードなどの記録媒体に格納して配布可能な他、インターネットなどのネットワークを介して配布してもよい。
【図面の簡単な説明】
【０１０５】
【図１】本発明の実施形態にかかる移動体通信端末の構成を示すブロック図である。
【図２】図１に示す記憶部に記録される情報の例を示す図であり、（ａ）は送信メール格納領域に記録される情報の例を示し、（ｂ）は受信メール格納領域に記録される情報の例を示す。
【図３】図１に示す制御部によって実現される機能構成を示すブロック図である。
【図４】本発明の実施形態にかかる「メール送信処理」を説明するためのフローチャートである。
【図５】図４に示すメール送信処理において出力される「新規メール画面」の表示例を示す図である。
【図６】本発明の実施形態にかかる「関連メール表示処理」を説明するためのフローチャートである。
【図７】図６に示す関連メール表示処理において出力される画面の表示例を示す図であり、（ａ）は、複数の特定返信メールを受信した場合に表示される「関連メール表示画面（１）」の表示例を示し、（ｂ）は、特定返信メールを示すオブジェクト画像が選択された場合に表示される「関連メール表示画面（２）」の表示例を示す。
【図８】図６に示す関連メール表示処理において出力される画面の表示例を示す図であり、（ａ）は、一般受信メールを受信した場合に表示される「関連メール表示画面（３）」の表示例を示し、（ｂ）は、一般受信メールを示すオブジェクト画像が選択された場合に表示される「関連メール表示画面（４）」の表示例を示し、（ｃ）は、追伸メールを示すオブジェクト画像が選択された場合に表示される「関連メール表示画面（５）」の表示例を示す。
【図９】本発明の実施形態にかかる「関連メール返信処理」を説明するためのフローチャートである。
【図１０】図９に示す関連メール返信処理において出力される画面の表示例を示す図であり、（ａ）は、新規返信メールの作成を指示された場合に表示される「新規返信メール画面（１）」の表示例を示し、（ｂ）は、新規返信メール画面（１）での入力内容の確定が指示された場合に表示される「新規返信メール画面（２）」の表示例を示す。
【図１１】図１に示す設定情報格納領域に記録される情報の例を示す図であり、（ａ）は、特定返信メールを受信した場合に作成される送信関連テーブルに記録される情報の例を示し、（ｂ）は、複数の特定返信メールを受信したときの送信関連テーブルに記録される情報の例を示し、（ｃ）は、一般受信メールについての追伸メールを受信した場合に作成される受信関連テーブルに記録される情報の例を示し、（ｄ）は、特定返信メールに対する新規返信メールを送信したときの送信関連テーブルに記録される情報の例を示す。
【符号の説明】
【０１０６】
１００…移動体通信端末、１１０…制御部、１１１…アプリケーション処理部、１１２…送信処理部、１１３…受信処理部、１１４…処理モード制御部、１１５…出力制御部、１２０…通信制御部、１２１…アンテナ、１３０…操作部、１４０…表示部、１５０…音声処理部、１５１…スピーカ、１５２…マイクロフォン、１６０…記憶部、１６１…送信メール格納領域、１６２…受信メール格納領域、１６３…設定情報格納領域、１６４…プログラム格納領域
【図１】
0005019321.tif 000002
【図２】
0005019321.tif 000003
【図３】
0005019321.tif 000004
【図４】
0005019321.tif 000005
【図５】
0005019321.tif 000006
【図６】
0005019321.tif 000007
【図７】
0005019321.tif 000008
【図８】
0005019321.tif 000009
【図９】
0005019321.tif 000010
【図１０】
0005019321.tif 000011
【図１１】
0005019321.tif 000012